(57)【要約】【課題】録画したデータ放送を再生する際に、例えばプレゼント応募の有効期限のような制約条件を伴うデータ放送において、有効期限が切れていることをユーザが気付かずに応募サイトへアクセスしてしまうといった、無駄なアクセスおよびそれに伴う無駄な通信料を発生させない放送受信装置を提供する。【解決手段】放送受信装置（100）は、少なくとも１つのデジタル放送番組を、デジタル放送番組に関連する期限上の制約条件と共に格納する記憶手段(200)と、デジタル放送番組を再生し、表示する表示手段(DIS)と、通信回線への接続要求を指示するためのユーザによる選択を受け付ける入力手段(KEY)と、通信回線への接続要求を生成する接続要求生成手段(190)と、記憶手段(200)に格納したデジタル放送番組を再生する際に、デジタル放送番組と共に記憶手段(200)に格納した制約条件に基づき、受け付けた選択に基づく通信回線への接続要求を無効とするように接続要求生成手段を制御する制御手段(160)とを備える。【選択図】図１
2008252358.tif 000002
【特許請求の範囲】
【請求項１】
少なくとも１つのデジタル放送番組を、該デジタル放送番組に関連する期限上の制約条件と共に格納する記憶手段と、
前記記憶手段に格納したデジタル放送番組を再生し、表示する表示手段と、
前記表示手段に表示されたデジタル放送番組のデータ放送における、通信回線への接続要求を指示するための表示領域に対するユーザによる選択を受け付ける入力手段と、
前記入力手段により受け付けた選択に基づく前記通信回線への接続要求を生成する接続要求生成手段と、
前記記憶手段に格納したデジタル放送番組を再生する際に、当該デジタル放送番組と共に前記記憶手段に格納した前記制約条件に基づき、前記入力手段により受け付けた選択に基づく前記通信回線への接続要求を無効とするように前記接続要求生成手段を制御する制御手段と、
を備えることを特徴とする放送受信装置。
【請求項２】
請求項１に記載の放送受信装置において、
前記記憶手段に格納された、少なくとも１つのデジタル放送番組に関するデータ放送のためのデータから、前記制約条件を抽出する抽出手段をさらに備える、
ことを特徴とする放送受信装置。
【請求項３】
請求項１に記載の放送受信装置において、
前記制御手段は、
前記記憶手段に格納したデジタル放送番組の再生時に、当該デジタル放送番組に関するデータ放送が前記制約条件を満たすか否かを判定し、当該判定結果に基づき、前記表示手段または前記接続要求生成手段を制御する、
ことを特徴とする放送受信装置。
【請求項４】
請求項１に記載の放送受信装置において、
前記制御手段は、前記記憶手段に格納したデジタル放送番組の再生時に、当該デジタル放送番組に関するデータ放送において前記入力手段により受け付けた選択に対応するデータが前記制約条件を満たすか否かを判定し、前記制約条件を満たさない場合、当該選択が無効である旨を示すポップアップ表示を表示するように前記表示手段を制御する、
ことを特徴とする放送受信装置。
【発明の詳細な説明】
【技術分野】
【０００１】
本発明は、放送受信装置に関する。
【背景技術】
【０００２】
地上デジタル放送で提供されているデータ放送の双方向サービスにおいて、テレビショッピングでの物品購入、クイズ回答による番組参加、およびプレゼント応募等の、有効期限（制約条件）を有する番組が多く見られる。ユーザはこれらの番組を録画しておき、所望の時間にリアルタイムでない状況で視聴（再生）することができるが、再生時にもまだそれら番組内の期限が有効であるか否かは、デジタル放送の受信装置のデータ放送表示部（ディスプレイ、画面）に表示された例えばリンクボタン（プレゼント応募ボタン）等を選択し、プレゼント応募画面にアクセスして初めて知ることができる。特に、例えば携帯電話のような携帯通信端末でデジタル放送を視聴している場合には、ディスプレイ自体が小さいため、表示できるデータ放送のコンテンツが限られてしまい、有効期限とプレゼント応募ボタンがディスプレイ上に同時に表示されないことがあり得る。上述のような状況でプレゼント応募ボタンを選択すると、有効期限（締切り等）が過ぎている場合には、ユーザは、プレゼント応募画面にアクセスしてから現時点が有効期限内でないことを知ることとなり、無駄な通信料が発生することになる。
【０００３】
上述の従来技術による、録画した期限付きのデータ放送サービス（双方向サービス）にアクセスする際の放送受信装置における処理を、図８（ａ）のフローチャートに示し、簡単に説明する。まず、データ放送の受信装置で予め録画していた番組の再生を開始したとする。その後ユーザによってデータ放送内のプレゼント応募ボタンが押下げられ（ステップＳ３１）、受信装置は、応募するためのサイト（応募サイト）へのアクセスを試みる（ステップＳ３２）。その時点が応募の有効期間内であれば、応募サイトを表示してユーザからの所定の応募操作を受付け、プレゼントの応募が完了する（ステップＳ３３〜Ｓ３５）が、有効期間外であれば、応募期限が過ぎていることを示すサイトが表示されることになる（ステップＳ３３、Ｓ３６）。
【０００４】
なお、上記のように応募画面へのリンク先へアクセスする必要がある場合は、ユーザは、アクセスしたサイトの画面表示によって有効期限が過ぎていることを知ることができるが、受信装置での操作が、例えば受信装置自身のボタンをワンクリックすることのみで完了する（番号選択やプレゼント応募等）コンテンツもある。この場合、ユーザは、操作が有効であるか無効であるかに係わらず受信装置の操作が可能なため、プレゼントに応募したつもりでも、その時点で有効期限を既に過ぎており、結果的に応募できていない場合もある。この場合、応募したことでパケットの送信が生じ、無駄な通信料を発生させた上に、応募自体が無効であったことをユーザは知ることができない。この処理を、図８（ｂ）のフローチャートを用いて簡単に説明する。同図（ａ）の場合と同様に、録画したデータ放送を再生し、ユーザによってデータ放送内のプレゼント応募ボタンが押下げられる（ステップＳ４１）と、受信装置は、ユーザ情報（端末のＩＤ、希望するプレゼント等）を含んだパケットを送信する（ステップＳ４２）。その時点が応募の有効期間内であれば、プレゼントの応募が完了する（ステップＳ４３、Ｓ４４）が、有効期間外であれば、プレゼントの応募は完了せず、応募操作が無効であることをユーザは気付くことができない（ステップＳ４３、Ｓ４５）。
【０００５】
これらの問題点を解決する技術として、従来技術に、現在日時がデータ放送のコンテンツに含まれる有効期限か否かを受信装置側で判定し、有効期限の切れているコンテンツにはその旨を示す印を合わせて表示する、或いは、そのコンテンツを表示しないように受信装置の表示画面を制御するものが開示されている（特許文献１を参照されたい。）。
【特許文献１】特開２００１−２２３６５２号公報
【発明の開示】
【発明が解決しようとする課題】
【０００６】
しかしながら特許文献１の技術は、有効期限が切れていることをユーザに報知するが、ユーザが、有効期限切れにもかかわらず、例えば操作を誤ってプレゼントの応募サイトにアクセスすることを防止するものではない。上述したように、受信装置が携帯通信端末である場合、特許文献１の技術では、ディスプレイが小さいために有効期限とプレゼント応募サイトへのリンクボタンを同時に表示できず、ユーザは、有効期限を確認する操作に手間をかけるよりも、簡単な操作であるリンクボタンの押下（選択）を行なってしまい、無駄な通信料が発生する。
【０００７】
よって、本発明の目的は、上述の問題を克服し、録画したデータ放送を再生する際に、例えばプレゼント応募の有効期限のような制約条件を伴うデータ放送において、有効期限が切れていることをユーザが気付かずに応募サイトへアクセスしてしまうといった、無駄なアクセスおよびそれに伴う無駄な通信料を発生させない放送受信装置を提供することである。
【課題を解決するための手段】
【０００８】
上述した諸課題を解決すべく、第１の発明による放送受信装置は、
（映像信号、音声信号およびデータ放送信号を含む、複数のデジタル放送番組の信号を通信回線を介して受信する受信手段と、）
少なくとも１つのデジタル放送番組を、該デジタル放送番組に関連する期限上の制約条件（リンク先への接続期限、視聴者参加型番組への参加期限、懸賞応募期限、または、テレビショッピング番組の商品購入期限など）と共に格納する（録画する）記憶手段と、
前記記憶手段に格納したデジタル放送番組を再生し、表示する表示手段と、
前記表示手段に表示されたデジタル放送番組のデータ放送における、通信回線への接続要求を指示するための表示領域に対するユーザによる選択を受け付ける入力手段と、
前記入力手段により受け付けた選択に基づく前記通信回線への接続要求を生成する接続要求生成手段と、
前記記憶手段に格納したデジタル放送番組を再生する際に、当該デジタル放送番組と共に前記記憶手段に格納した前記制約条件に基づき、前記入力手段により受け付けた選択に基づく前記通信回線への接続要求を無効とするように前記接続要求生成手段を制御する制御手段と、
を備えることを特徴とする。
【０００９】
第２の発明による放送受信装置は、
前記記憶手段に格納された、少なくとも１つのデジタル放送番組に関するデータ放送のためのデータから、前記制約条件を抽出する抽出手段をさらに備える、
ことを特徴とする。
（例えば、通信接続を伴うクリック可能領域を表示するデータに関連する期限情報を読み出すことによって制約条件を抽出することが可能である。また、期限情報は、形態素解析を用いて、さらには、期限、締め切り、応募、申し込み、受付期間などのキーワード検索によって抽出してもよい。）
【００１０】
第３の発明による放送受信装置は、
前記制御手段は、
前記記憶手段に格納したデジタル放送番組の再生時に、当該デジタル放送番組に関するデータ放送が前記制約条件を満たすか否かを判定し、当該判定結果に基づき、前記表示手段または前記接続要求生成手段を制御する、
ことを特徴とする。
【００１１】
第４の発明による放送受信装置は、
前記制御手段は、前記記憶手段に格納したデジタル放送番組の再生時に、当該デジタル放送番組に関するデータ放送において前記入力手段により受け付けた選択に対応するデータが前記制約条件を満たすか否かを判定し、前記制約条件を満たさない場合、当該選択が無効である（期限切れであり、当該選択指示に基づく通信接続は無駄である）旨を示すポップアップ表示を表示するように前記表示手段を制御する、
ことを特徴とする。
【発明の効果】
【００１２】
上述のように、本発明によれば、録画したデータ放送を再生する際に、例えばプレゼント応募の有効期限のような制約条件を伴うデータ放送において、有効期限が切れていることをユーザに視覚的に報知するとともに、制約条件を伴うデータ放送からの通信回線への接続を禁止することができるため、ユーザが有効期限が切れていることに気付かずに応募サイトへアクセスすることによる、無駄なアクセスおよびそれに伴う無駄な通信料を発生させない、放送受信装置を提供することができる。
【発明を実施するための最良の形態】
【００１３】
以降、諸図面を参照しながら、本発明による放送受信装置の実施態様を詳細に説明する。放送受信装置としては、携帯電話、ＰＤＡ（パーソナルデジタルアシスタンス）、携帯ゲーム機、携帯ビデオプレイヤー、携帯電子書籍ビューワーなどの携帯電子機器に幅広く本発明を適用することが可能である。本実施態様では、放送受信装置として携帯通信端末を想定し、地上デジタル放送としてはワンセグ放送であるものとして説明を行なう。
【００１４】
図１に、本発明による放送受信装置の機能ブロック図を示す。放送受信装置１００は、アンテナＡＮＴ１、ＡＮＴ２、チューナ部１１０、復調部１２０、分岐部１３０、処理部１４０、スピーカＳＰ、表示制御部１５０、表示部ＤＩＳ、制御部１６０、無線部１７０、記憶部（メモリ等）１８０、操作キー部ＫＥＹ、アクセス要求生成部１９０および番組蓄積部２００を備えている。アンテナＡＮＴ１は、データ放送を含む地上デジタル放送の信号（ＲＦ信号）を受信し、チューナ部１１０は、制御部１６０からの周波数（チャンネル）指定命令に基づいて、受信したＲＦ信号をチューニング（周波数変換）する。なお、制御部１６０からのチャンネル指定命令は、操作キー部ＫＥＹを用いてユーザが指定したチャンネルに基づく。復調部１２０は、チューナ部１１０によってチューニングされたチャンネル信号を、ＭＰＥＧ形式のＴＳ信号に復調する。分岐部１３０は、復調部１２０によって復調されたＴＳ信号内のパケットＩＤに基づき、音声パケット、映像パケット、データ放送パケットを検出し、音声パケットを音声処理部１４２に、映像パケットを映像処理部１４４に、データ放送パケットをデータ処理部１４６に出力する。なお、音声処理部１４２、映像処理部１４４およびデータ処理部１４６は処理部１４０に備えられている。音声処理部１４２は、入力された音声パケット内の音声データをデコードし、スピーカＳＰに出力する。映像処理部１４４およびデータ処理部１４６は、入力された映像データおよびデータ放送パケットをそれぞれデコードし、表示制御部１５０に出力する。
【００１５】
無線部１７０は、アンテナＡＮＴ２を介して、プレゼント応募サイトへアクセスするための無線通信回線へのパケットの送信等の無線通信を行なう。アクセス要求生成部１９０は、ユーザによる操作キー部ＫＥＹを介した通信回線への接続要求（アクセス要求）に応じて、無線回線へのアクセス要求を生成する。番組蓄積部２００は、例えばハードディスクやフラッシュメモリ等で構成され、録画したデジタル放送番組を格納し、記憶部（メモリ等）１８０は、後述する表示部ＤＩＳへ出力するポップアップ表示のテキスト文等の各種出力データを格納する。なお、番組蓄積部２００は、記憶部１８０の内部に含めてもよい。操作キー部ＫＥＹは、前述したユーザからの通信回線へのアクセス要求や、データ放送におけるコンテンツの選択（すなわち、データ放送の表示画面に表示される、別の画面（サイト）へ遷移するためのリンクボタン等）、デジタル放送のチャンネルの選択、デジタル放送の録画／再生等を受け付ける。制御部１６０は、放送受信装置１００の各機能部の制御を司るものであり、条件判定部１６２および無線通信制御部１６４を備えている。条件判定部１６２は、ＴＳパケットに含まれる各種制約条件（応募期限等）が有効であるか否か、すなわち、現在日時が有効期限内であるか否かを、図示しない計時部に基づいて判定し、無線通信制御部１６４は、アクセス要求生成部１９０からのアクセス要求に基づいて、無線部１７０のデータ送受信を制御する。
【００１６】
図２に、本発明による放送受信装置１００の表示部ＤＩＳの一実施例を示す。表示部ＤＩＳは、現在時刻と、放送受信装置１００の電池残量および受信感度を表すアンテナマーク（および「圏外」の文字）を示すピクト領域ＤＩＳ１、映像処理部１４４から出力される番組映像を表示する番組映像表示領域ＤＩＳ２、データ処理部１４６から出力されるデータ放送コンテンツを表示するデータ放送表示領域ＤＩＳ３を含む。さらに、操作キー部ＫＥＹの所定のキーボタンに割当てられ、例えば放送受信装置１００で実行できるメニュー一覧を表示する「メニュー」ボタン、メニュー一覧からあるメニューを選択する「選択」ボタンのような所定の機能を行なうソフトキーが表示された、ソフトキー表示領域ＤＩＳ４も含む。図２の例では、番組映像表示領域ＤＩＳ２ではドラマが再生され、データ放送表示領域ＤＩＳ３には、ドラマに関する出演者、あらすじ、およびプレゼント応募の情報を閲覧できるサイトへリンクするためのボタンである「出演者」、「あらすじ」、「プレゼント応募」を表示する領域、および、ＴＯＰページへ遷移する「ＴＯＰページ」を表示した領域が示されている。
【００１７】
なお、表示部ＤＩＳに表示するデータ放送画面（ページ、コンテンツ）は、ＢＭＬ（Ｂｒｏａｄｃａｓｔ  Ｍａｒｋｕｐ  Ｌａｎｇｕａｇｅ、放送用マークアップ言語）によって記述され、放送受信装置１００は、ＢＭＬで記述されたコンテンツを再生（表示）するためのＢＭＬブラウザというソフトウェアを内蔵している。ＢＭＬにより、画面のどこに何をいつ表示するかという空間／時間的提示の制御、関連する番組やインターネットのＵＲＬを示すリンク、タイトルや本文などを示す構造の表現、操作ボタンなどのユーザインターフェースなどを規定することができ、表示部ＤＩＳのレイアウトは、ＢＭＬに依存する。後述するが、本発明による放送受信装置１００は、データ放送のプレゼント応募といった有効期限を判定するのに、例えば形態素解析等の既知の文書解析手法を用いて、ＢＭＬソースコード中の、「期限」、「締め切り」、「応募」、「申し込み」、「受付期間」などのキーワードを検索し、それに近い場所にある、日時を示す数値データを前記期限として抽出してもよい。または、データ放送コンテンツを含むＴＳパケットに付加された、有効期限を示すフラグを解析することで、上記有効期限を得ることもできる。
【００１８】
（第１の実施の形態）
放送受信装置１００の第１の実施の形態では、録画したデータ放送の再生時に、条件判定部１６２によるデータ放送コンテンツにおける有効期限の判定結果に基づいて、表示制御部１５０が、有効期限外のコンテンツを表示しないように表示部ＤＩＳを制御するか、或いは、無線通信制御部１６４が、アクセス要求生成部１９０による有効期限外のコンテンツへのアクセス（サイトへのアクセスやパケット送信等）要求を無効にするように制御する。図３に、本発明の第１の実施の形態にかかる放送受信装置１００の、表示部ＤＩＳの画面表示例を示す。なお、各領域ＤＩＳ１〜ＤＩＳ４は図２と同様であるため、説明を省略する。
【００１９】
図３で再生するデータ放送コンテンツにおけるプレゼント応募には応募期限が設定されているとする。図９に、この応募期限（有効期限）の通知を含む、データ放送の表示画面の推移の一例を示す。図９の（ａ）〜（ｃ）は、再生しているドラマおよびデータ放送画面の時系列での推移を示す図である。まず同図（ａ）の時刻では、データ放送画面にはボタン「出演者情報」と「あらすじ」が表示されている。その後時間が経過し、同図（ｂ）の時刻に、プレゼント応募画面へのリンクボタン「プレゼント応募」が表示され、同図（ｃ）の時刻には、プレゼント応募を告知する表示と、その応募期限とが表示されている。これらの画面は、上述したようにＢＭＬソースコードで記述するか、或いは、フラッシュ表示するためのプログラム言語で記述してもよい。
【００２０】
条件判定部１６２は、番組蓄積部２００に格納した例えばＢＭＬソースコードを解析し、ＢＭＬソースコード中の「有効期限」、「応募期限」、「締切り」といったキーワードと、そのキーワードに近い場所に記述された、ｙｙ／ｍｍ／ｄｄやＸ月Ｙ日といった所定のフォーマット（図の例では、図９（ｃ）の「２００７年３月２１日」）を有効期限として、図示しない計時部で計時する現在日時と比較する。その結果、現在日時が前記有効期限内である（リンクボタンが有効である）場合は、表示制御部１５０は、図３（ａ）に示すように、データ放送表示領域ＤＩＳ３にリンクボタン「プレゼント応募」を表示し、有効期限内でない（リンクボタンが無効である）場合は、図３（ｂ）に示すように、プレゼントを応募するためのリンクボタンを表示しないように、データ放送表示領域ＤＩＳ３を制御する。このとき、ユーザが各リンクボタンを選択すべく操作キー部ＫＥＹを操作すると、フォーカスまたはカーソルが、リンクボタンが有効である図３（ａ）の場合は、「出演者」→「あらすじ」→「プレゼント応募」→「ＴＯＰページ」の順に移動するが、リンクボタンが無効である図３（ｂ）の場合は、「出演者」→「あらすじ」→「ＴＯＰページ」の順で移動する。
【００２１】
第１の実施の形態の処理を、図４のフローチャートを用いて説明する。放送受信装置１００は、番組蓄積部２００に事前に録画しておいた地上デジタル放送の番組を再生中であるとする。まず、番組で告知のあったプレゼントに応募するための、操作キー部ＫＥＹを介したユーザによる操作入力に応じて、表示制御部１５０が、データ放送画面を表示するように表示部ＤＩＳを制御する（ステップＳ１１）。次に、条件判定部１６２が、上述したように例えばＢＭＬソースコード中の記述から、データ放送に付与されているプレゼントの応募期限情報を抽出し、現在日時が有効期間内であるか否かを判定する（ステップＳ１２）。現在日時がプレゼントの応募期間内である場合は、プレゼントを応募するためのサイトへのリンクボタンを表示部ＤＩＳに表示し（ステップＳ１３）、その後、ユーザによる操作キー部ＫＥＹを介した操作入力に応じ、リンクボタンが選択された場合（アクセス要求生成部１９０が、プレゼント応募のサイトへのアクセス要求を生成した場合）は、リンク先へアクセスし、リンク先のデータ放送画面を表示する（ステップＳ１４〜Ｓ１５）。その後は、ユーザによる操作キー部ＫＥＹを介した操作入力に基づいた所定の操作を行い、例えばプレゼントを応募する場合は、無線部１７０が、必要な情報をパケット化して、アンテナＡＮＴ２を介して無線回線へ送信する。ステップＳ１２で有効期間外と判定された場合は、プレゼントを応募するためのサイトへのリンクボタンを非表示にする（ステップＳ１６）。好適には、非表示部分にはフォーカスまたはカーソルが移動しないようにする。しかしながら、ユーザは、番組でどのようなサービスが実施されていたか、元の通常画面、特に非表示の内容を知りたい場合も考えられる。その場合は、「プレゼント応募」を表示したまま「出演者」→「あらすじ」→「ＴＯＰページ」の順でカーソルが移動するように、すなわち、「プレゼント応募」を選択できないようにしてもよい。
【００２２】
（第２の実施の形態）
第１実施の形態では、ユーザが無効なリンクボタンを選択できないようにしたが、例えば番組内ではデータ放送からのプレゼント応募を告知しているにもかからず、データ放送内のリンクボタンを非表示にしてしまうと、ユーザが、他の画面（ページ）や、他のリンクボタンから、「プレゼント応募」ボタンを探そうと試み、無駄な操作をさせてしまうおそれがある。また、ユーザは、画面には「プレゼント応募」ボタンが表示されているにもかからずカーソルで選択ができないと、その理由が分からずに、選択操作を繰り返してしまうことも考えられる。このことを鑑み、第２実施の形態では、無効なリンクボタンを非表示にはせずに、データ放送画面上では有効期限が過ぎていることが分かるように表示し、かつ、無効なリンクボタンがユーザにより選択されても、それに基づく通信（無線回線へのデータ送信）を行なわないようにする。
【００２３】
図５に、本発明の第２の実施の形態にかかる放送受信装置１００の、表示部ＤＩＳの画面表示例を示す。表示部ＤＩＳは、例えば有機ＥＬのような、一部分の表示領域のみを制御可能とした自発光表示デバイスで構成される。表示制御部１５０は、上述した条件判定部１６２の判定に基づき、有効期限が過ぎた無効なリンクボタンである「プレゼント応募」を、図５（ａ）により暗い網掛けを施して示しているように、低輝度で表示するように表示部ＤＩＳを制御する。さらに、低輝度で表示しているにもかからず、「プレゼント応募」ボタンがユーザにより選択され、アクセス要求生成部１９０がリンク先へのアクセス要求を生成した場合は、無線通信制御部１６４は、「プレゼント応募」のリンク先へアクセスしないように無線部１７０を制御し、表示制御部１５０は、図５（ｂ）に示すように、例えば「応募期間が終了しています。操作をキャンセルします。」といったポップアップ表示３００を表示部ＤＩＳに表示して、有効期限が過ぎていることをユーザに報知する。このようにすれば、データ放送表示画面に表示されているリンクが関連するコンテンツ（例えば、プレゼント応募）の有効期限が切れており現在利用できないこと、すなわちリンク先へのアクセスが無駄であることを、より視覚的にユーザに伝えることができる。従って、この場合は携帯通信端末である放送受信装置１００の操作に不慣れな初心者やお年寄り、および、データ放送の双方向サービスを頻繁に利用したことのない人でも、より確実に安心して携帯通信端末を操作することできる。また、このように、データ放送画面における無効なリンクボタンの表示輝度を低輝度にすることで、端末全体の消費電力を低減することができ、電池寿命を延ばすことも可能となる。
【００２４】
さらに、本発明は、縦長の表示画面に限らず、横長の表示画面を有する携帯通信端末にも適用することができ、また、表示部ＤＩＳも、有機ＥＬ等の自発光表示デバイスに限らず、液晶表示デバイスを用いることもできる。なお、自発光表示デバイスでない液晶表示デバイスを用いてデータ放送表示の輝度を制御する場合には、例えば輝度を制御する領域毎にバックライトを分割して設けるなどすればよい。
【００２５】
以下に、第２実施の形態の処理を、図６のフローチャートを用いて説明する。ステップＳ２１からＳ２２までの処理は、第１の実施の形態における図４のフローチャートのステップＳ１１からＳ１２までの処理と同様であるため、説明を省略する。ステップＳ２２で、現在日時がプレゼントの応募期間内であると判定された場合は、表示制御部１５０は、データ放送表示領域ＤＩＳ３を、各携帯通信端末の仕様に依存する通常の輝度で表示するように制御する（ステップＳ２３）。その後、ユーザによる操作キー部ＫＥＹを介した操作入力に応じ、リンクボタンが選択された場合（アクセス要求生成部１９０が、プレゼント応募のサイトへのアクセス要求を生成した場合）は、リンク先へアクセスし、リンク先のデータ放送画面を表示する（ステップＳ２４〜Ｓ２５）。その後は、ユーザによる操作キー部ＫＥＹを介した操作入力に基づいた所定の操作を行い、例えばプレゼントを応募する場合は、無線部１７０が、必要な情報をパケット化して、アンテナＡＮＴ２を介して無線回線へ送信する。ステップＳ２２で有効期間外と判定された場合は、表示制御部１５０は、プレゼントを応募するためのサイトへのリンクボタンを低輝度で表示するように、表示部ＤＩＳを制御する（ステップＳ２６）。その後、ユーザによる操作キー部ＫＥＹを介した操作入力に応じ、低輝度表示にも係わらず、プレゼントを応募するためのサイトへのリンクボタンが選択された場合（アクセス要求生成部１９０が、プレゼント応募のサイトへのアクセス要求を生成した場合）は（ステップＳ２７）、無線通信制御部１６４は、リンク先へアクセスしないように無線部１７０を制御し（ステップＳ２８）、表示制御部１５０は、アクセス要求が無効である（応募期間が過ぎている）ことを示すポップアップ表示３００を表示部ＤＩＳに表示して、有効期限が過ぎていることをユーザに報知する（ステップＳ２９）。
【００２６】
（第３の実施の形態）
図７に、第３の実施の形態における、放送受信装置１００の表示部ＤＩＳの一例を示す。各表示部分は、前述した第１および第２の実施の形態と同様であるため説明を省略する。本発明の第３の実施の形態では、データ放送画面がカラーで表示されている場合に、有効なリンクボタンはＢＭＬで定められた表示（カラー）色で表示し、無効なリンクボタンを、白黒で表示する。図７では、「プレゼント応募」が無効なリンクボタンである場合を示しており、網掛けを施した白黒表示領域４００のように、データ放送表示領域ＤＩＳ３のその他の領域（カラーで表示されている）とは別に、白黒で表示される。従って、本実施の形態によれば、データ放送表示領域ＤＩＳ３内のリンクボタンの色表示が、カラー表示であるか、白黒表示であるかによって、ユーザは、実際にリンクボタンを選択してサイト先にアクセスすることなく、リンク先へのアクセスが有効であるか否かを一目で、容易にかつ確実に認識することができる。なおこの際、リンクボタンが無効であっても、データ放送表示領域ＤＩＳ３は常に通常輝度で表示されるので、ユーザは、見難くなるといった問題なく、データ放送画面を視聴することができる。
【００２７】
本発明を諸図面や実施例に基づき説明してきたが、当業者であれば本開示に基づき種々の変形や修正を行なうことが容易であることに注意されたい。従って、これらの変形や修正は本発明の範囲に含まれることに留意されたい。例えば、各手段、各ステップなどに含まれる機能などは論理的に矛盾しないように再配置可能であり、複数の手段を１つに組み合わせたり、あるいは分割したりすることが可能である。
【００２８】
例えば、本実施の態様では、放送受信装置の表示部にデータ放送と番組映像とを同時に表示する例を示したが、本発明はこれに限られるものではなく、データ放送のみを表示部に表示させることも可能である。また、有効期限は、ＢＭＬソースコードを解析することで抽出する例を示したが、本発明はこれに限られるものではなく、例えば番組の音声を解析することで得てもよいし、あるいは、データ放送コンテンツを含むＴＳパケットに付加された、有効期限を示すフラグのような、放送波に含まれる有効期限を表す何らかの情報を解析してもよい。また、有効期限としてはプレゼント応募期限を例に説明したが、本発明はこれに限られるものではなく、リンク先への接続期限、視聴者参加型番組への参加期限、または、テレビショッピング番組の商品購入期限など多くのものに本発明を適用することが可能である。
【図面の簡単な説明】
【００２９】
【図１】本発明による放送受信装置のブロック図を示す図である。
【図２】本発明による放送受信装置の表示部の例を示す図である。
【図３】本発明の第１の実施の態様による表示部の例を示す図である。
【図４】本発明の第１の実施の態様の処理を示すフローチャートである。
【図５】本発明の第２の実施の態様による表示部の例を示す図である。
【図６】本発明の第２の実施の態様の処理を示すフローチャートである。
【図７】本発明の第３の実施の態様による表示部の例を示す図である。
【図８】従来技術における放送受信装置の処理を示すフローチャートである。
【図９】データ放送コンテンツの表示画面の一例である。
【符号の説明】
【００３０】
１００  放送受信装置
１１０  チューナ部
１２０  復調部
１３０  分岐部
１４０  処理部
１４２  音声処理部
１４４  映像処理部
１４６  データ処理部
１５０  表示制御部
１６０  制御部
１６２  条件判定部
１６４  無線通信制御部
１７０  無線部
１８０  記憶部
１９０  アクセス要求生成部
２００  番組蓄積部
３００  ポップアップ表示
４００  白黒表示領域
ＡＮＴ１，ＡＮＴ２  アンテナ
ＤＩＳ  表示部
ＤＩＳ１  ピクト領域
ＤＩＳ２  番組映像表示領域
ＤＩＳ３  データ放送表示領域
ＤＩＳ４  ソフトキー表示領域
ＫＥＹ  操作キー部
ＳＰ    スピーカ
【図１】
2008252358.tif 000003
【図２】
2008252358.tif 000004
【図３】
2008252358.tif 000005
【図４】
2008252358.tif 000006
【図５】
2008252358.tif 000007
【図６】
2008252358.tif 000008
【図７】
2008252358.tif 000009
【図８】
2008252358.tif 000010
【図９】
2008252358.tif 000011